(57)【要約】【課題】表示品位の低下を抑制する表示装置を提供する。【解決手段】第１画素を備えた第１表示部と、第２画素を備えた第２表示部と、前記第１表示部及び前記第２表示部を囲む第１遮光部と、前記第１表示部と前記第２表示部との間に設けられた第２遮光部と、前記第１表示部及び前記第２表示部に設けられた液晶層と、前記第１遮光部に重畳し、前記液晶層を封止する第１シールと、前記第２遮光部に重畳する第２シールと、を備え、前記第２シールは、前記第１表示部と前記第２表示部とを連通する少なくとも１つの開口を有している、表示装置。【選択図】  図１
2020140038.tif 000002
【特許請求の範囲】
【請求項１】
第１画素を備えた第１表示部と、
第２画素を備えた第２表示部と、
前記第１表示部及び前記第２表示部を囲む第１遮光部と、
前記第１表示部と前記第２表示部との間に設けられた第２遮光部と、
前記第１表示部及び前記第２表示部に設けられた液晶層と、
前記第１遮光部に重畳し、前記液晶層を封止する第１シールと、
前記第２遮光部に重畳する第２シールと、を備え、
前記第２シールは、前記第１表示部と前記第２表示部とを連通する少なくとも１つの開口を有している、表示装置。
【請求項２】
前記第２シールは、前記第１表示部に面する第１部と、前記第２表示部に面する第２部と、を備え、
前記第２部は、前記第１部から離間している、請求項１に記載の表示装置。
【請求項３】
前記第２シールは、前記第１シールより大きな幅を有している、請求項１に記載の表示装置。
【請求項４】
前記第２シールは、前記第１シール以下の幅を有している、請求項１に記載の表示装置。
【請求項５】
前記第２シールは、前記第１シールから離間している、請求項１乃至４のいずれか１項に記載の表示装置。
【請求項６】
前記第２シールは、前記第１シールに繋がっている、請求項１乃至４のいずれか１項に記載の表示装置。
【請求項７】
さらに、前記第１表示部及び前記第２表示部に亘って設けられ、前記第２遮光部と交差する信号線を備え、
前記信号線は、前記第１画素及び前記第２画素と電気的に接続されている、請求項１乃至６のいずれか１項に記載の表示装置。
【請求項８】
前記信号線は、前記開口と重畳している、請求項７に記載の表示装置。
【請求項９】
前記信号線は、前記第２シールと交差している、請求項７に記載の表示装置。
【請求項１０】
前記信号線は、前記第１表示部における第１幅と、前記第２遮光部における第２幅と、を有し、
前記第２幅は、前記第１幅より大きい、請求項７乃至９のいずれか１項に記載の表示装置。
【請求項１１】
さらに、前記第１表示部に設けられた第１画素電極と、
前記第１表示部の周囲に設けられ、前記第１画素電極から離間した第１導電膜と、
前記第１画素電極及び前記第１導電膜の双方に重畳する第１共通電極と、を備え、
前記第１導電膜及び前記第１共通電極は、前記第１遮光部及び前記第２遮光部に重畳している、請求項１乃至１０のいずれか１項に記載の表示装置。
【請求項１２】
さらに、前記第２表示部の周囲に設けられ、前記第１導電膜から離間した第２導電膜と、
前記第１共通電極から離間し、前記第２導電膜に重畳する第２共通電極と、を備え、
前記第２シールは、前記第１共通電極と前記第２共通電極との間に設けられている、請求項１１に記載の表示装置。
【発明の詳細な説明】
【技術分野】
【０００１】
本発明の実施形態は、表示装置に関する。
【背景技術】
【０００２】
近年、同一基板上に複数の表示部を備えた表示装置が提案されている。このような表示装置では、各表示部の表示品位に差が生じないことが要望される。  
液晶表示装置において、液晶層は、所定のセルギャップに保持されている。基板の撓みに起因してセルギャップが変化した場合には、表示ムラが発生するおそれがある。また、高精細な液晶表示装置では、わずかな荷重によって画素電極とカラーフィルタとのズレが生じやすく、所望の色とは異なる色が表示されるおそれがある。
【先行技術文献】
【特許文献】
【０００３】
【特許文献１】特許第６０８０３１６号公報
【発明の概要】
【発明が解決しようとする課題】
【０００４】
本実施形態の目的は、表示品位の低下を抑制する表示装置を提供することにある。
【課題を解決するための手段】
【０００５】
本実施形態によれば、
第１画素を備えた第１表示部と、第２画素を備えた第２表示部と、前記第１表示部及び前記第２表示部を囲む第１遮光部と、前記第１表示部と前記第２表示部との間に設けられた第２遮光部と、前記第１表示部及び前記第２表示部に設けられた液晶層と、前記第１遮光部に重畳し、前記液晶層を封止する第１シールと、前記第２遮光部に重畳する第２シールと、を備え、前記第２シールは、前記第１表示部と前記第２表示部とを連通する少なくとも１つの開口を有している、表示装置が提供される。
【図面の簡単な説明】
【０００６】
【図１】図１は、本実施形態の表示装置ＤＳＰの一構成例を示す平面図である。
【図２】図２は、表示装置ＤＳＰの他の構成例を示す平面図である。
【図３】図３は、表示装置ＤＳＰの他の構成例を示す平面図である。
【図４】図４は、表示装置ＤＳＰの他の構成例を示す平面図である。
【図５】図５は、表示装置ＤＳＰの他の構成例を示す平面図である。
【図６】図６は、表示装置ＤＳＰの他の構成例を示す平面図である。
【図７】図７は、第１基板ＳＵＢ１の主要な構成を説明するための図である。
【図８】図８は、信号線Ｓと第２シールＳＥ２との関係を示す平面図である。
【図９】図９は、第１基板ＳＵＢ１において第２遮光部ＬＳ２と交差する信号線Ｓを拡大した平面図である。
【図１０】図１０は、第１基板ＳＵＢ１における第１表示部ＤＡ１及び第２表示部ＤＡ２の一部を示す平面図である。
【図１１】図１１は、第１基板ＳＵＢ１における第１表示部ＤＡ１及び第２表示部ＤＡ２の一部を示す平面図である。
【図１２】図１２は、図１０に示した信号線Ｓ上のＡ−Ｂ線に沿った表示パネルＰＮＬの断面図である。
【図１３】図１３は、図１１に示したＣ−Ｄ線に沿った表示パネルＰＮＬの断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの一構成例を示す平面図である。本実施形態においては、表示装置ＤＳＰの一例として、液晶表示装置について説明する。  
表示装置ＤＳＰは、表示パネルＰＮＬと、ＩＣチップ１と、を備えている。ここでは便宜上、表示パネルＰＮＬの短辺が延びる方向を第１方向Ｘとし、表示パネルＰＮＬの長辺が延びる方向を第２方向Ｙとし、表示パネルＰＮＬの厚さ方向を第３方向Ｚとする。一例では、第１方向Ｘ、第２方向Ｙ、及び、第３方向Ｚは、互いに直交しているが、９０度以外の角度で交差していてもよい。
【０００９】
表示パネルＰＮＬは、画像を表示する第１表示部ＤＡ１及び第２表示部ＤＡ２と、第１遮光部ＬＳ１及び第２遮光部ＬＳ２と、を備えている。第１表示部ＤＡ１及び第２表示部ＤＡ２は、第２方向Ｙに並んでいる。第１表示部ＤＡ１は、複数の第１画素ＰＸ１を備えている。第２表示部ＤＡ２は、複数の第２画素ＰＸ２を備えている。複数の第１画素ＰＸ１及び第２画素ＰＸ２は、第１方向Ｘ及び第２方向Ｙにマトリクス状に配置されている。第１画素ＰＸ１及び第２画素ＰＸ２の構成については後述する。図１に示した例では、第１表示部ＤＡ１及び第２表示部ＤＡ２は、いずれも四角形状に形成されているが、他の多角形状に形成されてもよいし、円形状または楕円形状に形成されてもよい。  
第１遮光部ＬＳ１及び第２遮光部ＬＳ２は、斜線で示している。第１遮光部ＬＳ１は、第１表示部ＤＡ１と第２表示部ＤＡ２を共に囲むように設けられている。第２遮光部ＬＳ２は、第１表示部ＤＡ１と第２遮光部ＤＡ２との間に設けられている。第２遮光部ＬＳ２は、第１遮光部ＬＳ１に繋がっている。図１に示した例では、第１遮光部ＬＳ１は、表示パネルＰＮＬの外縁に沿った枠状に形成されている。また、第２遮光部ＬＳ２は、表示パネルＰＮＬのほぼ中央部において第１方向Ｘに沿って延びる直線状に形成されている。第１表示部ＤＡ１及び第２表示部ＤＡ２の各々は、第１遮光部ＬＳ１及び第２遮光部ＬＳ２によって規定されている。
【００１０】
表示パネルＰＮＬは、第１基板ＳＵＢ１と、第２基板ＳＵＢ２と、液晶層ＬＣと、第１シールＳＥ１と、第２シールＳＥ２と、を備えている。第１基板ＳＵＢ１及び第２基板ＳＵＢ２は、第３方向Ｚに重畳している。例えば、第１遮光部ＬＳ１及び第２遮光部ＬＳ２は、第２基板ＳＵＢ２に設けられている。液晶層ＬＣは、液晶分子を含む液晶材料からなり、第１基板ＳＵＢ１と第２基板ＳＵＢ２との間に保持され、第１表示部ＤＡ１及び第２表示部ＤＡ２に設けられている。第１基板ＳＵＢ１と第２基板ＳＵＢ２とのセルギャップは、第１表示部ＤＡ１及び第２表示部ＤＡ２にそれぞれ設けられたスペーサによって形成される。第１シールＳＥ１及び第２シールＳＥ２は、いずれもフィラー（シール内スペーサ）を含み、セルギャップの維持に貢献している。
【００１１】
第１シールＳＥ１は、その全体が第１遮光部ＬＳ１に重畳し、第１基板ＳＵＢ１と第２基板ＳＵＢ２とを接着するとともに、液晶層ＬＣを封止している。一例では、第１シールＳＥ１は、途切れることなく連続したループ状に形成されており、液晶注入口を含まない。
【００１２】
第２シールＳＥ２は、その全体が第２遮光部ＬＳ２に重畳し、第１シールＳＥ１と同様に第１基板ＳＵＢ１と第２基板ＳＵＢ２とを接着している。第２シールＳＥ２は、第１表示部ＤＡ１と第２表示部ＤＡ２とを連通する少なくとも１つの開口ＯＰを有している。図１に示した例では、第２シールＳＥ２は、第１シールＳＥ１から離間しており、２つの開口ＯＰ１及びＯＰ２を有している。
【００１３】
より具体的に説明すると、第２シールＳＥ２は、第１表示部ＤＡ１に面する第１部ＳＥ２１と、第２表示部ＤＡ２に面する第２部ＳＥ２２と、を備えている。第２部ＳＥ２２は、第１部ＳＥ２１から離間している。第１部ＳＥ２１及び第２部ＳＥ２２は、第２方向Ｙに並んでいる。第１部ＳＥ２１と第２部ＳＥ２２との間には、液晶層ＬＣが存在している。第１部ＳＥ２１及び第２部ＳＥ２２は、それぞれ第１方向Ｘに沿って延びる直線状に形成されている。第１部ＳＥ２１の両端部ＥＡ１及びＥＢ１と、第２部ＳＥ２２の両端部ＥＡ２及びＥＢ２は、いずれも第１シールＳＥ１から離間している。開口ＯＰ１は、端部ＥＡ１及びＥＡ２と、第１シールＳＥ１との間に形成される。開口ＯＰ２は、端部ＥＢ１及びＥＢ２と、第１シールＳＥ１との間に形成される。これらの開口ＯＰ１及びＯＰ２では、第１表示部ＤＡ１の液晶材料の第２表示部ＤＡ２への移動、あるいは、第２表示部ＤＡ２の液晶材料の第１表示部ＤＡ１への移動が許容される。
換言すると、第１表示部ＤＡ１は、第１基板ＳＵＢ１、第２基板ＳＵＢ２、第１シールＳＥ１及び第２シールＳＥ２で囲まれた第１室を有しており、第２表示部ＤＡ２は、第１基板ＳＵＢ１、第２基板ＳＵＢ２、第１シールＳＥ１及び第２シールＳＥ２で囲まれた第２室を有している。また、第２シールＳＥ２には、第１室と第２室とを連通する連通路（開口ＯＰ）が複数個所形成されており、これら第１室、第２室及び連通路が液晶層ＬＣで充填されている。これによって、液晶層ＬＣの液晶材料は、連通路を通じて第１室から第２室への移動、及び第２室から第１室への移動が可能となる。
【００１４】
このような表示パネルＰＮＬは、例えば、第１基板ＳＵＢ１上にループ状の第１シールＳＥ１を形成するとともに直線状の第２シールＳＥ２を形成し、第１シールＳＥ１で囲まれた内側に液晶材料を滴下し、その後、第１基板ＳＵＢ１と第２基板ＳＵＢ２とを第１シールＳＥ１によって貼り合わせることで製造される。このとき、第１シールＳＥ１は第２基板ＳＵＢ２に設けられた第１遮光部ＬＳ１に重畳し、第２シールＳＥ２は第２基板ＳＵＢ２に設けられた第２遮光部ＬＳ２に重畳する。液晶材料の滴下量は、第１基板ＳＵＢ１と第２基板ＳＵＢ２とのセルギャップ等に基づいて設定される。液晶材料の滴下工程において、滴下量が設定値よりも不足したとしても、開口ＯＰにおいて液晶材料の移動が可能となるため、第１表示部ＤＡ１及び第２表示部ＤＡ２の各々における液晶材料の体積が均一化される。これにより、第１表示部ＤＡ１及び第２表示部ＤＡ２における表示品位の差が緩和される。また、滴下量の設定値に対するマージンを拡大することができる。
【００１５】
また、例えば、第１表示部ＤＡ１に荷重が加わった場合には、第１表示部ＤＡ１の液晶材料が開口ＯＰを通じて第２表示部ＤＡ２に向かって移動（流出）し、荷重が解放された後には、第２表示部ＤＡ２の液晶材料が開口ＯＰを通じて第１表示部ＤＡ１に向かって移動（流入）する。荷重が加わった際に、液晶材料の流出に伴って表示パネルＰＮＬに歪み（セルギャップの局所的な縮小）が生じたとしても、荷重が解放された際には、液晶材料の流入に伴って表示パネルＰＮＬの歪みが解消され、歪む以前のセルギャップに復帰する。このため、荷重が解放された際には、速やかに荷重が加わる前の表示状態に復帰する。
【００１６】
さらに、第１表示部ＤＡ１と第２表示部ＤＡ２との間には、第２シールＳＥ２が設けられているため、表示パネル全体としては表示パネルＰＮＬの中央部にも第１基板ＳＵＢ１と第２基板ＳＵＢ２の接着部が形成されることとなる。このため、表示パネルＰＮＬの中央部（第１表示部ＤＡ１と第２表示部ＤＡ２との間付近）における基板の撓みが抑制される。したがって、表示品位の低下を抑制することができる。
【００１７】
第１基板ＳＵＢ１は、実装部ＭＡを有している。ＩＣチップ１は、実装部ＭＡに実装されている。実装部ＭＡは、点線で示したフレキシブルプリント回路基板２を電気的に接続するための端子部ＴＡを備えている。なお、ＩＣチップ１は、フレキシブルプリント回路基板２に実装されていてもよい。
【００１８】
図２は、表示装置ＤＳＰの他の構成例を示す平面図である。  
図２の（Ａ）に示した構成例は、図１に示した構成例と比較して、第２シールＳＥ２が第１方向Ｘに沿って延びる１本の直線状に形成されており、第２シールＳＥ２が第１シールＳＥ１より大きな幅を有している点で相違している。例えば、第１シールＳＥ１は、全周に亘ってほぼ一定の幅Ｗ１を有している。第２シールＳＥ２は、ほぼ一定の幅Ｗ２を有している。幅Ｗ２は、幅Ｗ１より大きい。
【００１９】
図２の（Ｂ）に示した構成例は、図１に示した構成例と比較して、第２シールＳＥ２が第１方向Ｘに沿って延びる１本の直線状に形成されており、第２シールＳＥ２が第１シールＳＥ１と同じ幅か第１シールＳＥ１より小さい幅を有している点で相違している。図示した例では、第１シールＳＥ１の幅Ｗ１と、第２シールＳＥ２の幅Ｗ２とは、同等である。但し、幅Ｗ２が幅Ｗ１より小さい場合も有り得る。  
なお、いずれの構成例においても、幅Ｗ２は、第２遮光部ＬＳ２の幅Ｗ１２と同じか、幅Ｗ１２より小さい。
【００２０】
図３は、表示装置ＤＳＰの他の構成例を示す平面図である。図３に示した構成例は、図１に示した構成例と比較して、第１シールＳＥ１及び第２シールＳＥ２が途切れることなく連続的に形成された点で相違している。つまり、第２シールＳＥ２は、第１シールＳＥ１に繋がっている。第２シールＳＥ２は、１つの開口ＯＰを有している。  
より具体的には、第２シールＳＥ２は、第１部ＳＥ２１と、第２部ＳＥ２２と、第３部ＳＥ２３と、を備えている。第２部ＳＥ２２は、第１部ＳＥ２１から離間している。第３部ＳＥ２３は、第１部ＳＥ２１及び第２部ＳＥ２２を接続している。第１部ＳＥ２１と第２部ＳＥ２２との間には、液晶層ＬＣは存在しない。開口ＯＰは、２つの第３部ＳＥ２３の間に形成される。  
図３に示した構成例の第１シールＳＥ１及び第２シールＳＥ２がディスペンサによって描画される場合、これらの第１シールＳＥ１及び第２シールＳＥ２は、一筆で描画することができる。
【００２１】
図４は、表示装置ＤＳＰの他の構成例を示す平面図である。  
図４の（Ａ）に示した構成例は、図３に示した構成例と比較して、第２シールＳＥ２が第１方向Ｘに沿って延びる直線状に形成されており、第２シールＳＥ２の幅Ｗ２が第１シールＳＥ１の幅Ｗ１より大きい点で相違している。  
図４の（Ｂ）に示した構成例は、図３に示した構成例と比較して、第２シールＳＥ２が第１方向Ｘに沿って延びる直線状に形成されており、第２シールＳＥ２の幅Ｗ２が第１シールＳＥ１の幅Ｗ１と同じか、幅Ｗ１より小さい点で相違している。
【００２２】
図５は、表示装置ＤＳＰの他の構成例を示す平面図である。図５に示した構成例は、図３に示した構成例と比較して、第２遮光部ＬＳ２に重畳する第３シールＳＥ３が設けられた点で相違している。第１シールＳＥ１及び第２シールＳＥ２は、図３に示した構成例と同様に、途切れることなく連続的に形成されている。つまり、第２シールＳＥ２は、第１シールＳＥ１に繋がっている。第３シールＳＥ３は、第２シールＳＥ２の間において、少なくとも１つ設けられている。図５に示した例では、２つの第３シールＳＥ３が第１方向Ｘに沿って間隔を置いて設けられている。第３シールＳＥ３は、いずれも第２シールＳＥ２から離間している。開口ＯＰは、第２シールＳＥ２と第３シールＳＥ３との間、及び、第１方向Ｘに並んだ２つの第３シールＳＥ３の間にそれぞれ形成される。
【００２３】
図６は、表示装置ＤＳＰの他の構成例を示す平面図である。  
図６の（Ａ）に示した構成例は、図５に示した構成例と比較して、第２シールＳＥ２及び第３シールＳＥ３が第１方向Ｘに沿って延びる直線状に形成されており、第２シールＳＥ２の幅Ｗ２、及び、第３シールＳＥ３の幅Ｗ３が、いずれも第１シールＳＥ１の幅Ｗ１より大きい点で相違している。  
図６の（Ｂ）に示した構成例は、図５に示した構成例と比較して、第２シールＳＥ２及び第３シールＳＥ３が第１方向Ｘに沿って延びる直線状に形成されており、第２シールＳＥ２の幅Ｗ２、及び、第３シールＳＥ３の幅Ｗ３が、いずれも第１シールＳＥ１の幅Ｗ１と同じか、幅Ｗ１より小さい点で相違している。
【００２４】
図７は、第１基板ＳＵＢ１の主要な構成を説明するための図である。  
第１基板ＳＵＢ１は、第１表示部ＤＡ１に設けられた複数の走査線Ｇ１と、第２表示部ＤＡ２に設けられた複数の走査線Ｇ２と、第１表示部ＤＡ１及び第２表示部ＤＡ２に亘って設けられた複数の信号線Ｓと、を備えている。
【００２５】
第１基板ＳＵＢ１は、第１表示部ＤＡ１に近接して設けられたゲートドライバＧＤ１１及びＧＤ１２と、第２表示部ＤＡ２に近接して設けられたゲートドライバＧＤ２１及びＧＤ２２と、を備えている。ゲートドライバＧＤ１１及びＧＤ２１は、互いにバス配線Ｂ１を介して接続されている。ゲートドライバＧＤ１２及びＧＤ２２は、互いにバス配線Ｂ２を介して接続されている。バス配線Ｂ１及びＢ２は、例えばＩＣチップ１と電気的に接続されている。バス配線Ｂ１及びＢ２の各々は、例えば、スタートパルスを供給するための配線、クロックを供給するための配線、高電位電源線（ＶＧＨ）、低電位電源線（ＶＧＬ）などを含んでいる。バス配線Ｂ１のうち、ゲートドライバＧＤ１１とゲートドライバＧＤ２１との間の領域を中継部ＢＲ１と称する。また、バス配線Ｂ２のうち、ゲートドライバＧＤ１２とゲートドライバＧＤ２２との間の領域を中継部ＢＲ２と称する。これらの中継部ＢＲ１及びＢＲ２には、回路構成が含まれない。図１等に示した第１遮光部ＬＳ１及び第２遮光部ＬＳ２と、ゲートドライバＧＤ１２及びＧＤ２２との関係性について着目する。ゲートドライバＧＤ１２及びＧＤ２２は、第１遮光部ＬＳ１と重畳している。中継部ＢＲ２は、第１遮光部ＬＳ１と第２遮光部ＬＳ２との接続部（交差部）に設けられている。このような接続部付近には、ゲートドライバＧＤ１２及びＧＤ２２のいずれの回路構成も設けられていない。なお、中継部ＢＲ１も同様に、接続部に設けられている。  
複数の走査線Ｇ１は、ゲートドライバＧＤ１１及びＧＤ１２の少なくとも一方と電気的に接続されている。複数の走査線Ｇ２は、ゲートドライバＧＤ２１及びＧＤ２２の少なくとも一方と電気的に接続されている。
【００２６】
ＩＣチップ１は、ディスプレイドライバＤＤを内蔵している。ディスプレイドライバＤＤは、画像を表示する画像表示モードにおいて映像信号等の画像表示に必要な信号を表示パネルＰＮＬに出力する。複数の信号線Ｓは、ディスプレイドライバＤＤと電気的に接続されている。信号線Ｓの各々は、第１画素ＰＸ１及び第２画素ＰＸ２とそれぞれ電気的に接続されている。
【００２７】
例えば、第１画素ＰＸ１において、第１基板ＳＵＢ１は、スイッチング素子ＳＷ１と、画素電極ＰＥ１と、を備えている。スイッチング素子ＳＷ１は、走査線Ｇ１及び信号線Ｓと電気的に接続されている。画素電極ＰＥ１は、スイッチング素子ＳＷ１と電気的に接続されている。また、第１基板ＳＵＢ１は、共通電極ＣＥ１を備えている。共通電極ＣＥ１は、複数の第１画素ＰＸ１に対して共通に設けられている。なお、共通電極ＣＥ１は、第２基板ＳＵＢ２に設けられていてもよい。容量ＣＳ１は、例えば、共通電極ＣＥ１と同電位の電極、及び、画素電極ＰＥ１と同電位の電極の間に形成される。第１表示部ＤＡ１においては、液晶層ＬＣは、画素電極ＰＥ１と共通電極ＣＥ１との間に生じる電界によって駆動される。
【００２８】
第２画素ＰＸ２において、第１基板ＳＵＢ１は、スイッチング素子ＳＷ２と、画素電極ＰＥ２と、を備えている。スイッチング素子ＳＷ２は、走査線Ｇ２及び信号線Ｓと電気的に接続されている。画素電極ＰＥ２は、スイッチング素子ＳＷ２と電気的に接続されている。また、第１基板ＳＵＢ１は、共通電極ＣＥ２を備えている。共通電極ＣＥ２は、複数の第２画素ＰＸ２に対して共通に設けられている。なお、共通電極ＣＥ２は、第２基板ＳＵＢ２に設けられていてもよい。容量ＣＳ２は、例えば、共通電極ＣＥ２と同電位の電極、及び、画素電極ＰＥ２と同電位の電極の間に形成される。第２表示部ＤＡ２においては、液晶層ＬＣは、画素電極ＰＥ２と共通電極ＣＥ２との間に生じる電界によって駆動される。なお、第１画素ＰＸ１及び第２画素ＰＸ２は、それぞれカラーフィルタを備えるが、これらのカラーフィルタは第１基板ＳＵＢ１に設けられてもよいし、第２基板ＳＵＢ２に設けられてもよい。
【００２９】
図７において、例えば、走査線Ｇ１は第１走査線に相当し、走査線Ｇ２は第２走査線に相当し、スイッチング素子ＳＷ１は第１スイッチング素子に相当し、スイッチング素子ＳＷ２は第２スイッチング素子に相当し、画素電極ＰＥ１は第１画素電極に相当し、画素電極ＰＥ２は第２画素電極に相当し、共通電極ＣＥ１は第１共通電極に相当し、共通電極ＣＥ２は第２共通電極に相当する。
【００３０】
図８は、信号線Ｓと第２シールＳＥ２との関係を示す平面図である。  
信号線Ｓの各々は、第２遮光部ＬＳ２と交差し、第１表示部ＤＡ１及び第２表示部ＤＡ２に亘って途切れることなく設けられている。複数の信号線Ｓのうち、第１信号線Ｓ１は、第２遮光部ＬＳ２において、第１シールＳＥ１と第２シールＳＥ２との間の開口ＯＰと重畳している。また、第２信号線Ｓ２は、第２遮光部ＬＳ２において、第２シールＳＥ２と交差している。  
なお、第２遮光部ＬＳ２及び第２シールＳＥ２に重畳する走査線は設けられていない。あるいは、第２遮光部ＬＳ２及び第２シールＳＥ２に重畳する領域では、信号線Ｓと交差する配線は設けられていない。
【００３１】
図９は、第１基板ＳＵＢ１において第２遮光部ＬＳ２と交差する信号線Ｓを拡大した平面図である。図９において、第１遮光部ＬＳ１及び第２遮光部ＬＳ２は、点線で示している。第１遮光部ＬＳ１は、第１表示部ＤＡ１に設けられた遮光ラインＢＭ１、及び、第２表示部ＤＡ２に設けられた遮光ラインＢＭ２とそれぞれ繋がっている。遮光ラインＢＭ１及びＢＭ２は、第１方向Ｘに沿って延出している。遮光ラインＢＭ１は、図８等に示した走査線Ｇ１と重畳するように設けられている。遮光ラインＢＭ２は、走査線Ｇ２と重畳するように設けられている。
【００３２】
信号線Ｓは、第１表示部ＤＡ１において遮光ラインＢＭ１と交差し、第２遮光部ＬＳ２と交差し、さらに、第２表示部ＤＡ２において遮光ラインＢＭ２と交差している。信号線Ｓは、第１表示部ＤＡ１における幅Ｗ１１と、第２表示部ＤＡ２における幅Ｗ１２と、第２遮光部ＬＳ２における幅Ｗ１３と、を有している。遮光ラインＢＭ１と重畳する位置での幅Ｗ１１は、遮光ラインＢＭ２と重畳する位置での幅Ｗ１２と同等である。幅Ｗ１３は、幅Ｗ１１及びＷ１２のいずれよりも大きい。
【００３３】
信号線Ｓは、上記の通り、第１表示部ＤＡ１及び第２表示部ＤＡ２に亘って設けられているが、第２遮光部ＬＳ２との交差部では、線幅が拡張されているため、配線長の増大に伴う配線抵抗の増加が低減される。また、図８を参照して説明した通り、第２遮光部ＬＳ２に重畳する領域では、信号線Ｓと交差する配線が設けられていないため、信号線Ｓの線幅が拡張されても、他の配線との容量結合が抑制される。
【００３４】
第１遮光部ＬＳ１と重畳する領域には、第１共通電極ＣＥ１及び第２共通電極ＣＥ２にコモン電位を供給するための給電線Ｆが設けられている。給電線Ｆは、後述するが、例えば信号線Ｓと同一層に設けられている。
【００３５】
図１０は、第１基板ＳＵＢ１における第１表示部ＤＡ１及び第２表示部ＤＡ２の一部を示す平面図である。なお、ここでは、説明に必要な主要部のみを図示している。  
第１基板ＳＵＢ１は、第１導電膜ＴＦ１と、第２導電膜ＴＦ２とを備えている。第１導電膜ＴＦ１及び第２導電膜ＴＦ２の各々は、第１遮光部ＬＳ１及び第２遮光部ＬＳ２に重畳している。第２導電膜ＴＦ２は、第１導電膜ＴＦ１から離間している。第１導電膜ＴＦ１の一部、及び、第２導電膜ＴＦ２の一部は、それぞれ給電線Ｆに重畳している。
【００３６】
第１導電膜ＴＦ１は、第１表示部ＤＡ１の周囲に設けられ、第１画素電極ＰＥ１から離間している。第１導電膜ＴＦ１は、第１表示部ＤＡ１に隣接する側において、第１画素電極ＰＥ１と同様の形状のダミーパターンＤＰ１を有している。第２導電膜ＴＦ２は、第２表示部ＤＡ２の周囲に設けられ、第２画素電極ＰＥ２から離間している。第２導電膜ＴＦ２は、第２表示部ＤＡ２に隣接する側において、第２画素電極ＰＥ２と同様の形状のダミーパターンＤＰ２を有している。ダミーパターンＤＰ１及びＤＰ２は、いずれも第１遮光部ＬＳ１及びＬＳ２に重畳している。
【００３７】
なお、図１０に示した例では、第１表示部ＤＡ１において、遮光ラインＢＭ１は、第１方向Ｘに沿って延び、第２方向Ｙには延びていない。つまり、遮光ラインＢＭ１は、第２方向Ｙに隣接する第１画素電極ＰＥ１の間に設けられているが、信号線Ｓに重畳して第２方向Ｙに延びる遮光ラインは設けられていない。第２表示部ＤＡ２においても同様に、遮光ラインＢＭ２は、第２方向Ｙに隣接する第１画素電極ＰＥ１の間に設けられている。但し、信号線Ｓに重畳して第２方向Ｙに延びる遮光ラインが追加されてもよい。
【００３８】
図１１は、第１基板ＳＵＢ１における第１表示部ＤＡ１及び第２表示部ＤＡ２の一部を示す平面図である。なお、ここでは、説明に必要な主要部のみを図示している。  
第１共通電極ＣＥ１は、第１表示部ＤＡ１において第１画素電極ＰＥ１に重畳している。第１共通電極ＣＥ１は、第１表示部ＤＡ１において、スリットＳＬ１を有している。スリットＳＬ１は、図１０に示した遮光ラインＢＭ１に重畳するように設けられている。また、第１共通電極ＣＥ１は、ダミーパターンＤＰ１を含む第１導電膜ＴＦ１に重畳している。第１導電膜ＴＦ１及び第１共通電極ＣＥ１は、第１遮光部ＬＳ１及び第２遮光部ＬＳ２に重畳している。第１遮光部ＬＳ１に重畳する第１接続部ＣＮ１において、給電線Ｆ、第１共通電極ＣＥ１、及び、第１導電膜ＴＦ１は、互いに電気的に接続されている。つまり、第１導電膜ＴＦ１は、第１共通電極ＣＥ１と同電位である。
【００３９】
このように、第１表示部ＤＡ１の周囲においては、第１導電膜ＴＦ１のダミーパターンＤＰ１と第１共通電極ＣＥ１とが重畳し、これらが同電位であるため、液晶分子が初期配向状態に維持される。第１画素電極ＰＥ１と第１共通電極ＣＥ１との間に電界が形成されないオフ状態で黒を表示するノーマリーブラックモードにおいては、第１表示部ＤＡ１の周囲では、黒が表示される状態に維持されている。
【００４０】
第２共通電極ＣＥ２は、第１共通電極ＣＥ１から離間している。第２共通電極ＣＥ２は、第２表示部ＤＡ２において第２画素電極ＰＥ２に重畳している。第２共通電極ＣＥ２は、第２表示部ＤＡ２において、スリットＳＬ２を有している。スリットＳＬ２は、図１０に示した遮光ラインＢＭ２に重畳するように設けられている。また、第２共通電極ＣＥ２は、ダミーパターンＤＰ２を含む第２導電膜ＴＦ２に重畳している。第２導電膜ＴＦ２及び第２共通電極ＣＥ２は、第１遮光部ＬＳ１及び第２遮光部ＬＳ２に重畳している。第１遮光部ＬＳ１に重畳する第２接続部ＣＮ２において、給電線Ｆ、第２共通電極ＣＥ２、及び、第２導電膜ＴＦ２は、互いに電気的に接続されている。第２表示部ＤＡ２の周囲においても、第２導電膜ＴＦ２のダミーパターンＤＰ２と第２共通電極ＣＥ２とが重畳し、これらが同電位であるため、液晶分子が初期配向状態に維持される。つまり、第２表示部ＤＡ２の周囲でも、黒が表示される状態に維持されている。
【００４１】
図１２は、図１０に示した信号線Ｓ上のＡ−Ｂ線に沿った表示パネルＰＮＬの断面図である。
【００４２】
第１基板ＳＵＢ１は、絶縁基板１０、絶縁膜１１乃至１３、信号線Ｓ、金属配線Ｍ１及びＭ２、第１共通電極ＣＥ１、第２共通電極ＣＥ２、第１導電膜ＴＦ１、第２導電膜ＴＦ２、配向膜ＡＬ１などを備えている。なお、図７に示した走査線Ｇ１及びＧ２、及び、スイッチング素子ＳＷ１及びＳＷ２は、絶縁基板１０と絶縁膜１１との間に設けられている。信号線Ｓは、絶縁膜１１及び１２の間に設けられている。金属配線Ｍ１及びＭ２は、絶縁膜１２及び１３の間に設けられている。なお、図１０及び図１１においては、金属配線Ｍ１及びＭ２の図示を省略したが、金属配線Ｍ１及びＭ２は、第２方向Ｙに沿って延出し、信号線Ｓに重畳するように設けられている。金属配線Ｍ１は、スリットＳＬ１と交差し、第１共通電極ＣＥ１に接している。これにより、スリットＳＬ１を介して第２方向Ｙに並んだ第１共通電極ＣＥ１が金属配線Ｍ１によって互いに電気的に接続され、第１共通電極ＣＥ１が低抵抗化される。スリットＳＬ１においては、絶縁膜１３が金属配線Ｍ１を覆っている。また、金属配線Ｍ２は、スリットＳＬ２と交差し、第２共通電極ＣＥ２に接している。これにより、第２方向Ｙに並んだ第２共通電極ＣＥ２が金属配線Ｍ２によって互いに電気的に接続され、第２共通電極ＣＥ２が低抵抗化される。スリットＳＬ２においては、絶縁膜１３が金属配線Ｍ２を覆っている。金属配線Ｍ１及びＭ２は、同一の信号線Ｓに重畳しているが、第１表示部ＤＡ１と第２表示部ＤＡ２との間で途切れている。  
第１導電膜ＴＦ１及び第２導電膜ＴＦ２は、絶縁膜１３及び配向膜ＡＬ１の間に設けられている。図１２に示した断面において、第１共通電極ＣＥ１と第１導電膜ＴＦ１との間、及び、第２共通電極ＣＥ２と第２導電膜ＴＦ２との間には、絶縁膜１３が介在している。
【００４３】
第２基板ＳＵＢ２は、絶縁基板２０、遮光ラインＢＭ１及びＢＭ２、第２遮光部ＬＳ２、カラーフィルタ層ＣＦ、オーバーコート層ＯＣ、配向膜ＡＬ２などを備えている。カラーフィルタ層ＣＦは、第１表示部ＤＡ１において遮光ラインＢＭ１と交差し、第２表示部ＤＡ２において遮光ラインＢＭ２と交差している。
【００４４】
絶縁基板１０及び２０は、ガラス基板や樹脂基板などの透明な基板である。絶縁膜１１及び１３は、透明な無機絶縁膜である。絶縁膜１２及びオーバーコート層ＯＣは、透明な有機絶縁膜である。信号線Ｓ、及び、金属配線Ｍ１及びＭ２は、不透明な金属材料によって形成されている。第１共通電極ＣＥ１、第２共通電極ＣＥ２、第１導電膜ＴＦ１、及び、第２導電膜ＴＦ２は、透明な導電材料によって形成されている。
【００４５】
第２シールＳＥ２は、第２遮光部ＬＳ２の直下において、第１共通電極ＣＥ１と第２共通電極ＣＥ２との間に設けられている。あるいは、第２シールＳＥ２は、第１導電膜ＴＦ１と第２導電膜ＴＦ２との間に設けられている。第１基板ＳＵＢ１の第２シールＳＥ２に重畳する領域では、絶縁基板１０から第２シールＳＥ２に向かって、絶縁膜１１、信号線Ｓ、絶縁膜１２、絶縁膜１３、及び、配向膜ＡＬ１が順に積層されている。第２基板ＳＵＢ２の第２シールＳＥ２に重畳する領域では、絶縁基板２０から第２シールＳＥ２に向かって、第２遮光部ＬＳ２、オーバーコート層ＯＣ、及び、配向膜ＡＬ２が順に積層されている。  
第２シールＳＥ２は、上記の通り、シール内スペーサＳＳ（あるいはフィラーと称する場合も有る）を含んでいる。第２シールＳＥ２は、配向膜ＡＬ１及びＡＬ２にそれぞれ接している。  
図１２に示した例では、絶縁膜１２は、第１表示部ＤＡ１と第２表示部ＤＡ２との間に凹部１２Ｃを有している。つまり、絶縁膜１２は、その一部が薄膜化されている。第２シールＳＥ２は、凹部１２Ｃに重畳するように設けられている。このため、第２シールＳＥ２が形成された際に、第１表示部ＤＡ１及び第２表示部ＤＡ２への広がりが抑制される。また、表示パネルＰＮＬの中央部に荷重が加わった場合に、第２シールＳＥ２の第１表示部ＤＡ１側へのズレあるいは第２表示部ＤＡ２側へのズレが抑制される。
【００４６】
第１光学素子ＯＤ１及び第２光学素子ＯＤ２の各々は、少なくとも偏光板を含み、必要に応じて位相差板等を含んでいてもよい。第１光学素子ＯＤ１は絶縁基板１０に接着され、第２光学素子ＯＤ２は絶縁基板２０に接着されている。
【００４７】
図１３は、図１１に示したＣ−Ｄ線に沿った表示パネルＰＮＬの断面図である。  
第１基板ＳＵＢ１において、スイッチング素子のドレイン電極ＤＥ、給電線Ｆ、及び、バス配線Ｂ１は、信号線Ｓと同様に、絶縁膜１１及び１２の間に設けられている。金属配線Ｍ１は、信号線Ｓに重畳するように設けられている。第１共通電極ＣＥ１は、第１接続部ＣＮ１において、給電線Ｆに接し、互いに電気的に接続されている。第１導電膜ＴＦ１は、第１接続部ＣＮ１において、第１共通電極ＣＥ１に接し、互いに電気的に接続されている。第１画素電極ＰＥ１は、第１導電膜ＴＦ１と同様に、絶縁膜１３と配向膜ＡＬ１との間に設けられている。なお、図示しない第２表示部ＤＡ２においては、第２画素電極ＰＥ２も、絶縁膜１３と配向膜ＡＬ１との間に設けられている。第１画素電極ＰＥ１及び第２画素電極ＰＥ２は、第１導電膜ＴＦ１と同一材料である透明な導電材料によって形成されている。第１画素電極ＰＥ１は、スイッチング素子のドレイン電極ＤＥに接し、互いに電気的に接続されている。第１スペーサＳＰ１は、第１画素電極ＰＥ１とドレイン電極ＤＥとの接続部に設けられている。
【００４８】
第２基板ＳＵＢ２において、第１遮光部ＬＳ１は、第２遮光部ＬＳ２と同様に、絶縁基板２０とオーバーコート層ＯＣとの間に設けられている。カラーフィルタ層ＣＦは、赤カラーフィルタＣＦＲ、緑カラーフィルタＣＦＧ、及び、青カラーフィルタＣＦＢを含んでいる。カラーフィルタ層ＣＦは、第１表示部ＤＡ１のみならず、第２表示部ＤＡ２にも設けられ、その一部は第２遮光部ＬＳ２に重畳している。第２スペーサＳＰ２は、第１スペーサＳＰ１に接するように設けられている。これらの第１スペーサＳＰ１及び第２スペーサＳＰ２は、セルギャップを形成している。
【００４９】
第１シールＳＥ１は、第１遮光部ＬＳ１の直下に設けられ、配向膜ＡＬ１及びＡＬ２にそれぞれ接している。第１シールＳＥ１は、第２シールＳＥ２と同様に、シール内スペーサＳＳ（あるいはフィラーと称する場合も有る）を含んでいる。
【００５０】
以上説明したように、本実施形態によれば、表示品位の低下を抑制する表示装置を提供することができる。
【００５１】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５２】
ＤＳＰ…表示装置  ＰＮＬ…表示パネル
ＳＵＢ１…第１基板  ＳＵＢ２…第２基板  ＬＣ…液晶層
ＳＥ１…第１シール  ＳＥ２…第２シール  ＯＰ…開口
ＤＡ１…第１表示部  ＤＡ２…第２表示部
ＬＳ１…第１遮光部  ＬＳ２…第２遮光部
ＣＥ１…第１共通電極  ＣＥ２…第２共通電極
ＰＥ１…第１画素電極  ＰＥ２…第２画素電極
ＴＦ１…第１導電膜  ＴＦ２…第２導電膜
Ｓ…信号線
【図１】
2020140038.tif 000003
【図２】
2020140038.tif 000004
【図３】
2020140038.tif 000005
【図４】
2020140038.tif 000006
【図５】
2020140038.tif 000007
【図６】
2020140038.tif 000008
【図７】
2020140038.tif 000009
【図８】
2020140038.tif 000010
【図９】
2020140038.tif 000011
【図１０】
2020140038.tif 000012
【図１１】
2020140038.tif 000013
【図１２】
2020140038.tif 000014
【図１３】
2020140038.tif 000015